(57)【要約】【課題】  電子機器のデザイン性を損なうことなく、載置面に対する電子機器の角度を変更することができる角度変更用スペーサを提供する。【解決手段】  角度変更用スペーサ３０は、その厚み方向Ｚに見たときに、前方Ｘ１に開放するように形成されたＵ字状の本体部３１であって、上面部３５と下面部３６とを有し、上面部３５が、前方Ｘ１に向かって進むにつれて下面部３６との距離が小さくなるように、下面部３６に対して傾斜して形成される本体部３１と、下面部３６に設けられる複数の突起状の脚部３２とを有する。【選択図】      図３
2015075921.tif 000002
【特許請求の範囲】
【請求項１】
載置面上に載置されて用いられる電子機器であって、前記載置面に載置された状態において該載置面に対向し、ケーブルが接続される底部と、該底部に設けられる複数の突起状の脚部とを有する電子機器の、前記載置面に対する前記底部の角度を変更するために前記底部に着脱可能に装着される角度変更用スペーサにおいて、
前記底部に装着されたときに該底部に対向する上面部と、前記底部に装着されたときに前記載置面に対向する下面部とを有する本体部であって、前記上面部に対向する側から見たときに、一方に開放するようにＵ字状に形成され、前記上面部が、前記一方に向かって進むにつれて前記下面部との距離が小さくなるように、該下面部に対して傾斜して形成される本体部と、
前記下面部に設けられる複数の突起状の脚部とを有することを特徴とする角度変更用スペーサ。
【請求項２】
前記上面部には、前記底部に装着されたときに、該底部に設けられる前記突起状の脚部が嵌合可能な凹所が形成されていることを特徴とする請求項１に記載の角度変更用スペーサ。
【請求項３】
前記本体部は、互いに離間し、前記一方に向かって延びる一対の腕部と、各腕部の前記一方とは反対側の端部に連なる基部とを含み、
前記凹所は、前記上面部のうちの、前記基部に対応する部分に形成されていることを特徴とする請求項２に記載の角度変更用スペーサ。
【請求項４】
前記上面部のうちの、前記基部に対応する部分には、前記凹所に連なり、該凹所から前記一方に向かって延びる案内溝が形成されていることを特徴とする請求項３に記載の角度変更用スペーサ。
【請求項５】
前記案内溝は、前記基部の前記一方側の端部において、前記一方側に開放していることを特徴とする請求項４に記載の角度変更用スペーサ。
【請求項６】
前記案内溝は、前記一方に向かって進むにつれて溝幅が大きくなるように形成されていることを特徴とする請求項４または５に記載の角度変更用スペーサ。
【請求項７】
前記底部に装着されたときに、該底部に固定するための締結具が設けられていることを特徴とする請求項１〜６のいずれか１つに記載の角度変更用スペーサ。
【請求項８】
載置面上に載置されて用いられる電子機器であって、前記載置面に載置された状態において該載置面に対向し、ケーブルが接続される底部と、該底部に設けられる複数の突起状の脚部とを有し、請求項１〜７のいずれか１つに記載の角度変更用スペーサを前記底部に装着可能な電子機器であって、
前記底部に、前記角度変更用スペーサの前記本体部における前記一方側の端部を挿入可能な端部支持部が設けられていることを特徴とする電子機器。
【発明の詳細な説明】
【技術分野】
【０００１】
本発明は、台上に載置されて用いられる電子機器の、載置面に対する角度を、操作者の操作性を向上させるべく、変更するための角度変更用スペーサおよびその角度変更用スペーサを装着可能な電子機器に関する。
【背景技術】
【０００２】
従来から、電子機器の１つである電子式金銭登録機（「電子レジスタ」とも称する。以下、「金銭登録機」と略記する。）には、その底部に角度変更用部材が予め組み付けられているものがある。このような金銭登録機では、その角度変更用部材を利用することによって、台上に載置したときの金銭登録機の姿勢、より詳細には、台の載置面に対する金銭登録機の角度を変更することができるようになっている。
【０００３】
図７は、角度変更用部材１２０が予め組み付けられている従来技術に係る金銭登録機１００の一例を概略的に示す図である。図７（ａ）は、金銭登録機１００を背面側から見た図を示し、図７（ｂ）は、図７（ａ）における切断面線ＩＸ−ＩＸから見た断面図を示し、図７（ｃ）は、図７（ａ）における切断面線Ｘ−Ｘから見た断面図を示している。なお、図７では、角度変更用部材１２０が利用されていない状態、すなわち、金銭登録機１００が、通常の姿勢で載置台１０１上に載置されている状態を示している。
【０００４】
金銭登録機１００は、たとえば図７に示すように、装置本体１１０の上部に形成されている２つの傾斜部１１１，１１３のうち、背面側に形成されている傾斜部１１１には、会計を行う顧客に対して合計金額や釣銭金額などの情報を表示するカスタマディスプレイ１１２が、その表示面１１２ａが傾斜部１１１に沿って傾斜するように配設され、正面側に形成されている傾斜部１１３には、店員などの操作者によって操作されるタッチパネル付ディスプレイ１１４が、その表示面１１４ａが傾斜部１１３に沿って傾斜するように配設されて構成されている。
【０００５】
一方、装置本体１１０の底部１１５には、装置の下方および後方に開放する凹所１２２が形成され、さらに、この凹所１２２に臨んで、外部電源から電力を供給するための電源ケーブルや、外部のサーバ装置との間でのデータの送受信などに用いられる通信用ケーブルなどのケーブル１１９を接続するための複数のコネクタ１１６が配設されている。また、凹所１２２において、後方に開放する開口を塞ぐように板状のカバー部材１１７が設けられ、このカバー部材１１７によって、凹所１２２内が外部から視認されてしまうことを防止している。
【０００６】
また、底部１１５の表面には、たとえばゴム製の脚部１１８が複数取り付けられ、この脚部１１８によって、金銭登録機１００を載置台１０１上に載置したときに、装置本体１１０の底部１１５と載置台１０１における載置面１０１ａとの間に、間隙１２１が形成されるように構成されている。そして、この間隙１２１を介して、コネクタ１１６に接続されたケーブル１１９が、金銭登録機１００の背面側から外部の空間へ排出可能とされている。
【０００７】
このような構成により、金銭登録機１００は、通常の姿勢で載置台１０１上に載置されたときに、ケーブル１１９が、装置外方の空間に延在している部分だけしか外部から視認されないようにされている。これにより、デザイン性が悪化してしまうことが防止されている。
【０００８】
図８は、図７に示す金銭登録機１００が角度変更用部材１２０を利用することにより載置面１０１ａに対する角度が変更された姿勢で載置台１０１に載置された状態を示す図である。図８（ａ）は、金銭登録機１００を背面側から見た図を示し、図８（ｂ）は、図８（ａ）における切断面線ＸＩ−ＸＩから見た断面図を示し、図８（ｃ）は、図８（ａ）における切断面線ＸＩＩ−ＸＩＩから見た断面図を示している。
【０００９】
角度変更用部材１２０は、横長の矩形状に形成された板状の部材によって構成され、装置本体１１０の底部１１５における装置背面寄りの部分において、装置本体１１０の幅方向に平行に延びる軸線Ｊまわりに角変位可能に組み付けられている。そして、底部１１５は、この角度変更用部材１２０を格納可能に構成されている。
【００１０】
これにより、角度変更用部材１２０は、金銭登録機１００が通常の姿勢で用いられるときには、図８（ｂ）に示すように、底部１１５に格納しておくことができる。一方、金銭登録機１００の載置面１０１ａに対する角度を変更する際には、底部１１５に格納されている角度変更用部材１２０が、軸線Ｊまわりに背面側へ角変位されて、載置面１０１ａに対して突き立てられる。
【００１１】
このようにして、装置本体１１０の底部１１５における装置背面寄りの部分が、装置正面寄りの部分に対して上方に持ち上げられることで、金銭登録機１００の載置面１０１ａに対する角度が変更される。これにより、カスタマディスプレイ１１２の表示面１１２ａおよびタッチパネル付ディスプレイ１１４の表示面１１４ａの載置面１０１ａに対する傾斜角度を変更することができ、操作者の操作性を向上させることができる。
【００１２】
しかしながら、このように構成される金銭登録機１００では、図８（ｂ）および図８（ｃ）に示すように、載置面１０１ａに対する角度を変更すると、底部１１５における装置背面寄りの部分と載置面１０１ａとの間に形成される間隙１２１が、装置背面側へ進むほど広がってしまう。これにより、コネクタ１１６に接続されたケーブル１１９や装置本体１１０の底部１１５などが、装置本体１１０の幅方向の外方から視認可能となってしまう。
【００１３】
このように、従来技術に係る金銭登録機１００では、載置面１０１ａに対する角度を変更させると、底部１１５の下方を延在しているケーブル１１９や、装置本体１１０の底部１１５が、外部から視認可能となってしまうため、デザイン性が悪化してしまうという問題がある。
【００１４】
たとえば特許文献１には、電子機器に接続されたケーブルを外部からできるだけ視認されないように構成された台について開示されている。しかしながら、この文献では、電子機器の載置面に対する角度を変更するための構成については開示されていない。
【先行技術文献】
【特許文献】
【００１５】
【特許文献１】特開２００６−１２９９６９号公報
【発明の概要】
【発明が解決しようとする課題】
【００１６】
本発明の目的は、電子機器のデザイン性を損なうことなく、操作者の操作性を向上させるべく、載置面に対する電子機器の角度を変更することができる角度変更用スペーサおよびその角度変更用スペーサを装着可能な電子機器を提供することである。
【課題を解決するための手段】
【００１７】
本発明は、載置面上に載置されて用いられる電子機器であって、前記載置面に載置された状態において該載置面に対向し、ケーブルが接続される底部と、該底部に設けられる複数の突起状の脚部とを有する電子機器の、前記載置面に対する前記底部の角度を変更するために前記底部に着脱可能に装着される角度変更用スペーサにおいて、
前記底部に装着されたときに該底部に対向する上面部と、前記底部に装着されたときに前記載置面に対向する下面部とを有する本体部であって、前記上面部に対向する側から見たときに、一方に開放するようにＵ字状に形成され、前記上面部が、前記一方に向かって進むにつれて前記下面部との距離が小さくなるように、該下面部に対して傾斜して形成される本体部と、
前記下面部に設けられる複数の突起状の脚部とを有することを特徴とする角度変更用スペーサである。
【００１８】
また本発明は、前記上面部には、前記底部に装着されたときに、該底部に設けられる前記突起状の脚部が嵌合可能な凹所が形成されていることを特徴とする。
【００１９】
また本発明は、前記本体部は、互いに離間し、前記一方に向かって延びる一対の腕部と、各腕部の前記一方とは反対側の端部に連なる基部とを含み、
前記凹所は、前記上面部のうちの、前記基部に対応する部分に形成されていることを特徴とする。
【００２０】
また本発明は、前記上面部のうちの、前記基部に対応する部分には、前記凹所に連なり、該凹所から前記一方に向かって延びる案内溝が形成されていることを特徴とする。
【００２１】
また本発明は、前記案内溝は、前記基部の前記一方側の端部において、前記一方側に開放していることを特徴とする。
【００２２】
また本発明は、前記案内溝は、前記一方に向かって進むにつれて溝幅が大きくなるように形成されていることを特徴とする。
【００２３】
また本発明は、前記底部に装着されたときに、該底部に固定するための締結具が設けられていることを特徴とする。
【００２４】
また本発明は、載置面上に載置されて用いられる電子機器であって、前記載置面に載置された状態において該載置面に対向し、ケーブルが接続される底部と、該底部に設けられる複数の突起状の脚部とを有し、前記角度変更用スペーサを前記底部に装着可能な電子機器であって、
前記底部に、前記角度変更用スペーサの前記本体部における前記一方側の端部を挿入可能な端部支持部が設けられていることを特徴とする電子機器である。
【発明の効果】
【００２５】
本発明によれば、電子機器のデザイン性を損なうことなく、操作者の操作性を向上させるべく、載置面に対する電子機器の角度を変更することができる。
【図面の簡単な説明】
【００２６】
【図１】本発明の第１の実施形態に係る角度変更用スペーサ３０の装着対象である電子式金銭登録機１の一例を示す図である。
【図２】本発明の第１の実施形態に係る角度変更用スペーサ３０の構成を概略的に示す図である。
【図３】角度変更用スペーサ３０を金銭登録機１に装着する方法を説明するための図である。
【図４】角度変更用スペーサ３０が金銭登録機１に装着された状態を示す図である。
【図５】本発明の第２の実施形態に係る角度変更用スペーサ３０Ａの構成を概略的に示す図である。
【図６】本発明の第３の実施形態に係る角度変更用スペーサ３０Ｂの構成を概略的に示す図である。
【図７】角度変更用部材１２０が予め組み付けられている従来技術に係る金銭登録機１００の一例を概略的に示す図である。
【図８】図７に示す金銭登録機１００が角度変更用部材１２０を利用することにより載置面１０１ａに対する角度が変更された姿勢で載置台１０１に載置された状態を示す図である。
【発明を実施するための形態】
【００２７】
（第１の実施形態）
図１は、本発明の第１の実施形態に係る角度変更用スペーサ３０の装着対象である電子式金銭登録機（「電子レジスタ」とも称する。以下、「金銭登録機」と略記する。）１の一例を示す図である。図１（ａ）は、金銭登録機１をその背面側から見た図を示し、図１（ｂ）は、図１（ａ）における切断面線Ｉ−Ｉから見た断面図を示し、図１（ｃ）は、図１（ａ）における切断面線ＩＩ−ＩＩから見た断面図を示し、図１（ｄ）は、金銭登録機１の底面図を示し、図１（ｅ）は、図１（ｂ）におけるＡ部を拡大して示している。なお、図１では、金銭登録機１が、通常の姿勢で載置台２上に載置されている状態を示している。また、図１（ｄ）では、後述するケーブル１８を省略して図示している。
【００２８】
電子機器の１つである金銭登録機１は、装置本体１０と、装置本体１０の底部１０ａに設けられた突起状の脚部１１とによって構成されている。ここで、装置本体１０の底部１０ａとは、金銭登録機１が通常の姿勢で載置台２上に載置されたときに、載置台２の載置面２ａに対向する部分である。
【００２９】
装置本体１０は、筐体１２と、会計を行う顧客に対して合計金額や釣銭金額などの情報を表示するためのカスタマディスプレイ１３と、店員などの操作者に対して会計処理用の画面を表示するとともに、タッチ操作による入力を受け付けるタッチパネル付ディスプレイ１４とを含んで構成される。
【００３０】
筐体１２の上部は、２つの傾斜部１５，１６によって上方に凸の山型に形成されており、一方の傾斜部１５は、頂部から装置正面側に向かって下方に傾斜し、他方の傾斜部１６は、頂部から装置背面側に向かって下方に傾斜している。一方の傾斜部１５には、その傾斜面に沿って表示面１４ａが配設されるように、タッチパネル付ディスプレイ１４が設置され、他方の傾斜部１６には、その傾斜面に沿って表示面１３ａが配設されるように、カスタマディスプレイ１３が設置されている。
【００３１】
また、装置本体１０の底部１０ａを構成する筐体１２の下部は、図１（ｄ）に示すように、装置の下方から見て大略的に矩形状に形成されている。そして、この筐体１２の下部には、装置の下方にのみ開放するように形成された凹所１７が、装置背面寄りの位置に設けられている。
【００３２】
そして、この凹所１７に臨むように、外部電源から金銭登録機１に電力を供給するための電源ケーブルや、外部のサーバ装置（図示せず）との間でのデータの送受信などに用いられる通信用ケーブルなどのケーブル１８を接続するための複数のコネクタ１９が、筐体１２に埋設されている。
【００３３】
各コネクタ１９は、回路基板２０上に搭載されており、本実施形態では、凹所１７よりも装置正面側に配設されている。したがって、各コネクタ１９に対して、対応するケーブル１８を接続する際には、図１（ｃ）において矢印で示すように、ケーブル１８におけるコネクタ接続側の端部が、コネクタ１９に対して、装置背面側から装置正面側に向かって進むように挿し込まれる。
【００３４】
脚部１１は、大略的に円柱形状に形成されたゴム製部材であり、その軸線が装置本体１０の上下方向に一致して延びるように、筐体１２の下部に締結固定されている。脚部１１は、本実施形態では、筐体１２の下部における四隅の近傍にそれぞれ配設されている。すなわち、筐体１２の下部には、４つの脚部１１が設けられている。
【００３５】
金銭登録機１が通常の姿勢で載置台２上に載置される場合には、この４つの脚部１１と載置台２とが接触する。これにより、装置本体１０の底部１０ａと載置台２の載置面２ａとの間には、間隙２１が形成され、この間隙２１を介して、コネクタ１９に接続されたケーブル１８が、底部１０ａの下方から、装置背面側の外部空間へ排出される。
【００３６】
脚部１１の軸線方向における寸法、すなわち脚部１１の高さ寸法は、たとえば、コネクタ１９に接続されるケーブル１８の外径よりも僅かに大きな寸法となるように設計される。これにより、金銭登録機１を通常の姿勢で載置台２上に載置したときに、コネクタ１９に接続されたケーブル１８の外部空間への排出を可能にしつつ、ケーブル１８の底部１０ａの下方を延在している部分や、装置本体１０の底部１０ａ自体を、外部から視認しにくくすることができる。
【００３７】
本実施形態では、金銭登録機１における筐体１２の下部には、図１（ｄ）に示すように、後述する角度変更用スペーサ３０を装着するときに用いられる支持部２２が設置されるとともに、装着された角度変更用スペーサ３０を装置本体１０に締結固定する際に用いられる雌ねじ部２３が形成されている。
【００３８】
支持部２２は、本実施形態では、図１（ｅ）に示すように、位置決め部分２２ａと、受け部分２２ｂと、一対の案内部分２２ｃとによって構成される。位置決め部分２２ａは、筐体１２の下部から下方に垂設された矩形板状部分であり、凹所１７よりも装置正面側の位置において、その長手方向が装置本体１０の幅方向（図１（ａ）における左右方向）に一致するように配設されている。位置決め部分２２ａの前記長手方向の寸法は、凹所１７における前記幅方向の寸法よりも長くなるように設定されている。
【００３９】
受け部分２２ｂは、位置決め部分２２ａの下端部に連なり、装置背面側に向かって突出するように設けられた矩形板状部分である。すなわち、位置決め部分２２ａと受け部分２２ｂとは、装置本体１０の幅方向に垂直な断面において略Ｌ字状を成している。この位置決め部分２２ａおよび受け部分２２ｂと、筐体１２の下面とによって、角度変更用スペーサ３０における後述する一対の遊端部３４ａを収容可能な収容空間Ｓが形成される。
【００４０】
受け部分２２ｂは、詳細には、位置決め部分２２ａの下端部から、装置背面側に向かって下方に進むように傾斜させて設けられている。この受け部分２２ｂの傾斜の度合いは、角度変更用スペーサ３０を金銭登録機１に装着することによって装置本体１０の底部１０ａが載置面２ａに対して傾いたときに、載置面２ａと平行または略平行となるように設定されている（図４（ｂ）参照）。本実施形態では、受け部分２２ｂの筐体１２の下面に対する傾斜角度は、角度変更用スペーサ３０における傾斜角度θ（図２（ｂ）参照）に一致するように設定されている。
【００４１】
各案内部分２２ｃは、位置決め部分２２ａおよび受け部分２２ｂの前記長手方向の各端部に連なり、筐体１２の下部から下方に垂設された板状部分である。各案内部分２２ｃは、図２（ｄ）に示すように、装置背面側に向かって進むに従って、互いに離反するように設けられている。
【００４２】
このように構成される支持部２２は、筐体１２に一体的に設けられてもよく、筐体１２とは別途に作製された部材を筐体１２に固定することによって設けられてもよい。なお、支持部２２は、金銭登録機１を通常の姿勢で載置台２上に載置したときに、載置面２ａと接触しないようなサイズに形成されている。
【００４３】
雌ねじ部２３は、４つの脚部１１のうち、装置背面寄りに設けられている２つの脚部１１の軸線間の中心に配置されている。以下、装置背面寄りに設けられている２つの脚部１１を、特に「脚部１１ａ」と記すこととする。
【００４４】
図２は、本発明の第１の実施形態に係る角度変更用スペーサ３０の構成を概略的に示す図である。図２（ａ）は、角度変更用スペーサ３０の平面図を示し、図２（ｂ）は、角度変更用スペーサ３０の右側面図を示し、図２（ｃ）は、角度変更用スペーサ３０の背面図を示し、図２（ｄ）は、図２（ａ）における切断面線ＩＩＩ−ＩＩＩから見た断面図を示し、図２（ｅ）は、図２（ａ）における切断面線ＩＶ−ＩＶから見た断面図を示している。
【００４５】
角度変更用スペーサ３０は、図２（ａ）に示すように、厚み方向Ｚから見たときに、前方Ｘ１に開放するように形成された略Ｕ字状（馬蹄形状）の本体部３１と、本体部３１における下面部３６から下方に突出するように設けられた突起状の脚部３２とを含んで構成される。
【００４６】
本体部３１は、厚み方向Ｚおよび前後方向Ｘのいずれにも垂直な幅方向Ｙに沿って直線状に延びる基部３３と、基部３３における幅方向Ｙの各端部からそれぞれ前方Ｘ１側に向かって直線状に延びる一対の腕部３４とを有し、基部３３と一対の腕部３４とが一体的に連なって形成されることにより、略Ｕ字状を成している。
【００４７】
一対の腕部３４は、基部３３における幅方向Ｙの中心部を含み、幅方向Ｙに垂直な仮想平面Ｖに関して対称に形成され、本実施形態では、前方Ｘ１に向かって進むにつれて互いに近接するように、内向きに延設されている。
【００４８】
また、本体部３１は、その厚み方向Ｚの一方側の表面部である上面部３５が、図２（ｂ）に示すように、厚み方向Ｚの他方側の表面部である下面部３６に対して傾斜するように形成されている。詳細には、上面部３５は、前方Ｘ１に向かって進むにつれて下面部３６との距離が小さくなるように、下面部３６に対して傾斜角度θで傾斜している。すなわち、一対の腕部３４は、前方Ｘ１に向かって進むにつれて先細であり、楔状に形成されている。
【００４９】
なお、この上面部３５は、角度変更用スペーサ３０が金銭登録機１における装置本体１０の底部１０ａに装着された装着状態において、その底部１０ａに対向する部分である。そして、上面部３５のうちの基部３３に対応する部分には、前記装着状態において、装置本体１０の底部１０ａに設けられている脚部１１が嵌合可能な凹部３７が形成されている。
【００５０】
本実施形態では、上面部３５のうちの基部３３に対応する部分には、装置本体１０の底部１０ａに設けられている４つの脚部１１のうちの、装置背面寄りに設けられている２つの脚部１１ａが嵌合されるように、２つの凹部３７が形成されている。
【００５１】
各凹部３７は、脚部１１ａの外径よりも僅かに大きな外径を有する円筒状の内周面部３７ａと、前記装着状態において脚部１１の底面に対向する円形状の底面部３７ｂとを有する。底面部３７ｂは、本実施形態では、図２（ｄ）に示すように、上面部３５と平行になるように、下面部３６に対して傾斜している。
【００５２】
各凹部３７の深さ、すなわち上面部３５と底面部３７ｂとの距離は、脚部１１ａの軸線方向の寸法と同一か、それよりも大きくなるように設計されている。そして、この２つの凹部３７は、仮想平面Ｖに関して対称となるように、かつ、それらの軸線間距離が、装置本体１０の底部１０ａに設けられている前記２つの脚部１１ａの軸線間距離に一致するように配設されている。
【００５３】
したがって、前記装着状態では、装置本体１０の底部１０ａに設けられている２つの脚部１１ａが前記２つの凹部３７にそれぞれ嵌り込むことにより、本体部３１における上面部３５と装置本体１０の底部１０ａとが面接触することとなる。
【００５４】
さらに、基部３３には、２つの凹部３７の軸線間の中心において、筐体１２の下部に設けられた雌ねじ部２３と螺合可能な取付ねじ４０が装着されている。これにより、前記装着状態において、この取付ねじ４０と雌ねじ部２３とを螺合することによって、角度変更用スペーサ３０を、金銭登録機１に締結固定することが可能となっている。
【００５５】
本体部３１は、たとえばＡＢＳ樹脂などの樹脂材料から成り、本実施形態では、図２（ｅ）に示すように、厚み方向Ｚの一方である下方に開放するように形成されている。ここで、本体部３１の前方Ｘ１側の端部における幅方向Ｙの寸法は、支持部２２における収容空間Ｓの幅方向寸法以下に設定され、本実施形態では、支持部２２における収容空間Ｓの幅方向寸法に一致するように設定される。
【００５６】
また、各腕部３４における基部３３とは反対側の端部３４ａを「遊端部３４ａ」と称することとすると、本体部３１における腕部３４の長さは、前記装着状態において、遊端部３４ａの端面が、支持部２２における位置決め部分２２ａに当接するような寸法に設定される。
【００５７】
脚部３２は、大略的に円柱形状に形成されたゴム製部材であり、その軸線が厚み方向Ｚに一致するように、下面部３６に締結固定されている。脚部３２は、本実施形態では、凹部３７が形成されている位置に対応して設けられている。すなわち、本体部３１の下面部３６には、２つの脚部３２が設けられている。
【００５８】
図３は、角度変更用スペーサ３０を金銭登録機１に装着する方法を説明するための図であり、図３（ａ）は、下方から見た状態を示し、図３（ｂ）は、図３（ａ）における切断面線Ｖ−Ｖから見た断面図を示している。
【００５９】
また、図４は、角度変更用スペーサ３０が金銭登録機１に装着された状態を示す図であり、図４（ａ）は、下方から見た状態を示し、図４（ｂ）は、図４（ａ）における切断面線ＶＩ−ＶＩから見た断面図を示し、図４（ｃ）は、側方から見た状態を示している。
【００６０】
図３（ｂ）に示すように、角度変更用スペーサ３０を金銭登録機１に装着する際には、金銭登録機１における装置背面側の部分だけを持ち上げることにより、装置背面寄りに設けられている２つの脚部１１ａを載置面２ａから浮かせた状態で、金銭登録機１における背面側の部分と載置面２ａとの間の隙間を介して、装置背面側から装置正面側に向かって、角度変更用スペーサ３０が挿入される。
【００６１】
このとき、角度変更用スペーサ３０は、下面部３６が載置面２ａに臨み、一対の腕部３４の間に２つの脚部１１ａが入り込むようにして、その前方Ｘ１が、装置背面側から装置正面側に向かう方向（矢印で示す方向）に一致するような挿入角度で、装置背面側から挿入される。換言すれば、一対の腕部３４における遊端部３４ａ側から挿入される。
【００６２】
そして、角度変更用スペーサ３０を、挿入方向に沿ってスライドさせ、一対の腕部３４における各遊端部３４ａの端面を、支持部２２における位置決め部分２２ａに当接させる。このとき、挿入角度が若干ずれていた場合であっても、遊端部３４ａが支持部２２における案内部分２２ｃに接触することにより、適正な方向に案内される。
【００６３】
これによって、各遊端部３４ａが収容空間Ｓに嵌り込むと、角度変更用スペーサ３０は位置決めされる。このとき、収容空間Ｓに嵌り込んだ各遊端部３４ａは、受け部分２２ｂによって下方から支持される。
【００６４】
このようにして、角度変更用スペーサ３０が位置決めされると、持ち上げていた装置背面側の部分を降下させることで、角度変更用スペーサ３０の上面部３５に設けられた各凹部３７に、装置背面寄りに設けられている２つの脚部１１ａを嵌り込ませることができる。
【００６５】
これにより、図４に示すように、金銭登録機１の装置本体１０における底部１０ａと、角度変更用スペーサ３０の本体部３１における上面部３５とが面接触し、下面部３６に対する上面部３５の傾斜角度θだけ、金銭登録機１における底部１０ａの載置面２ａに対する角度が変更される。なお、角度変更用スペーサ３０を金銭登録機１に固定したい場合には、前記のように、取付ねじ４０と雌ねじ部２３とが螺合される。
【００６６】
以上のように、本実施形態によれば、角度変更用スペーサ３０の本体部３１が、前方Ｘ１に開放するように略Ｕ字状に形成されているので、角度変更用スペーサ３０を金銭登録機１に装着したときに、凹所１７の下方の空間に対して装置背面側には、基部３３が配置され、凹所１７の下方の空間に対して装置本体１０の幅方向の両側には、一対の腕部３４がそれぞれ配置されることとなる。すなわち、角度変更用スペーサ３０の装着状態では、凹所１７の下方の空間が、角度変更用スペーサ３０によって、装置背面側および装置本体１０の幅方向の両側の三方から囲われることとなる。
【００６７】
これにより、図４（ｃ）に示すように、操作者の操作性を向上させるべく、金銭登録機１の載置面２ａに対する角度を変更した場合においても、通常の姿勢で載置台２上に載置した場合と同じように、ケーブル１８の底部１０ａの下方を延在している部分や、装置本体１０の底部１０ａ自体を、外部から視認しにくくすることができる。したがって、ケーブル１８や底部１０ａなどが視認されてしまうことによるデザイン性の悪化を防止することができる。
【００６８】
また本実施形態によれば、角度変更用スペーサ３０の本体部３１が、前方Ｘ１に開放するように略Ｕ字状に形成されているので、コネクタ１９にケーブル１８が接続された状態であっても、角度変更用スペーサ３０を金銭登録機１に装着することができる。また、角度変更用スペーサ３０が金銭登録機１に装着された状態において、装置本体１０の底部１０ａの下方に延在しているケーブル１８を適宜移動させることができる。
【００６９】
（第２の実施形態）
図５は、本発明の第２の実施形態に係る角度変更用スペーサ３０Ａの構成を概略的に示す図である。図２（ａ）は、角度変更用スペーサ３０Ａの平面図を示し、図２（ｂ）は、図２（ａ）における切断面線ＶＩＩ−ＶＩＩから見た断面図を示し、図２（ｃ）は、図２（ａ）における切断面線ＶＩＩＩ−ＶＩＩＩから見た断面図を示している。
【００７０】
本実施形態に係る角度変更用スペーサ３０Ａは、第１の実施形態に係る角度変更用スペーサ３０と略同一に構成されるので、同一の構成については同一の参照符を付し、重複する説明を省略する。
【００７１】
本実施形態に係る角度変更用スペーサ３０Ａは、上面部３５のうちの基部３３に対応する部分に、凹部３７によって形成される凹所に連なり、該凹所から前方Ｘ１に向かって延びる、断面がＵ字状の案内溝３８が、凹部３７ごとに形成されている点において、第１の実施形態に係る角度変更用スペーサ３０と相違している。
【００７２】
各案内溝３８は、基部３３における前方Ｘ１側の端部において前方Ｘ１に開放するように形成され、その溝底を規定する溝底部３９は、底面部３７ｂと略面一となるように形成されている。各案内溝３８は、図５（ａ）に示されるように、前後方向Ｘに沿って同一の溝幅を有するように形成されている。各案内溝３８は、凹部３７における内周面部３７ａの内径と略等しい溝幅を有するように形成されている。
【００７３】
以上のように、本実施形態によれば、角度変更用スペーサ３０Ａの上面部３５における基部３３に対応する部分には、脚部１１ａが嵌り込む凹所から前方Ｘ１に延びるように案内溝３８が形成されているので、金銭登録機１における装置背面側の部分を持ち上げる量（載置面２ａからの持ち上げ高さ）を、できるだけ小さくすることができる。
【００７４】
具体的には、第１の実施形態では、図３（ｂ）に示すように、脚部１１ａの下面が、少なくとも上面部３５よりも上方に位置するように、金銭登録機１における装置背面側の部分を持ち上げる必要があったが、本実施形態によれば、脚部１１ａの下面が、少なくとも溝底部３９よりも上方に位置するように、金銭登録機１における装置背面側の部分を持ち上げればよくなる。したがって、角度変更用スペーサ３０Ａを装着する際の作業者の負担を低減することができる。
【００７５】
（第３の実施形態）
図６は、本発明の第３の実施形態に係る角度変更用スペーサ３０Ｂの構成を概略的に示す図であり、角度変更用スペーサ３０Ｂの平面図を示している。本実施形態に係る角度変更用スペーサ３０Ｂは、第２の実施形態に係る角度変更用スペーサ３０Ａと略同一に構成されるので、同一の構成については同一の参照符を付し、重複する説明を省略する。
【００７６】
第２の実施形態に係る角度変更用スペーサ３０Ａでは、案内溝３８は、前後方向Ｘに沿って同一の溝幅を有するように形成されていたが、本実施形態に係る角度変更用スペーサ３０Ｂでは、各案内溝３８Ｂは、図６に示されるように、前方Ｘ１に向かって進むにつれてその溝幅が大きくなるように形成されている。各案内溝３８Ｂは、具体的には、後方Ｘ２側の端部では、凹部３７における内周面部３７ａの内径と略等しい溝幅を有し、前方Ｘ１に向かって進むにつれて、溝幅が連続的に増加していくように形成されている。
【００７７】
以上のように、本実施形態によれば、案内溝３８Ｂが、前方Ｘ１に向かって進むにつれて溝幅が大きくなるように形成されているので、角度変更用スペーサ３０Ｂをスライドにより挿入する際に、金銭登録機１の幅方向に対する角度変更用スペーサ３０Ｂの挿入位置が、適正な位置から若干ずれていたとしても、脚部１１ａが案内溝３８Ｂを通過する際に、そのずれが吸収されて、脚部１１ａを凹所へ導くことができる。すなわち、本実施形態によれば、作業者は、角度変更用スペーサ３０Ｂを、金銭登録機１へ容易に装着することができる。
【００７８】
なお、本実施形態では、電子機器が金銭登録機１によって実現される場合を例に挙げて説明しているが、電子機器としては、金銭登録機１には限定されず、操作者の操作性を向上させるべく、載置面に対する角度を変更する必要がある電子機器であれば、他の電子機器によって実現されてもよい。
【符号の説明】
【００７９】
１  電子式金銭登録機
２  載置台
１０  装置本体
１０ａ  底部
１１  脚部
１７  凹所
１８  ケーブル
３０  角度変更用スペーサ
３１  本体部
３２  脚部
３３  基部
３４  腕部
３５  上面部
３６  下面部
３７  凹部
３８  案内溝
４０  取付ねじ
【図１】
2015075921.tif 000003
【図２】
2015075921.tif 000004
【図３】
2015075921.tif 000005
【図４】
2015075921.tif 000006
【図５】
2015075921.tif 000007
【図６】
2015075921.tif 000008
【図７】
2015075921.tif 000009
【図８】
2015075921.tif 000010